(57)【要約】  旋回可能なディスク閉鎖アクチュエータ（１０）、該アクチュエータを含むクロージャー、該クロージャーをボトル又は他の容器と組み合わせたものである。アクチュエータは、製品分注用開口部をその前面に含む閉鎖面（１２）と、閉鎖面上の少なくとも２つのピボット（１８）と、閉鎖面の周辺壁から延びてロック位置とアンロック位置を有する延長パネル（２２）とを含み、ピボットは、製品開口部と延長パネルの中間にあり、延長パネルは、延長パネルがロック位置にあるときに閉鎖面に向かって内側に延びるラッチ部（２４）を有する。クロージャーは、閉鎖基部（３２）を含み、それは、その外壁に切り抜き部又は開口部（４０）を含んでもよい。ロック位置では、延長パネルは、アクチュエータがその閉鎖位置から開口位置に回転することを防ぐために、切り抜き部又は外壁の表面に支えられていてもよい。【選択図】図４
2021507852.tif 000002
【特許請求の範囲】
【請求項１】
旋回可能なディスク閉鎖アクチュエータ（１０）であって、
ａ）製品分配用開口部（５０）を前面に含む閉鎖面（１２）と、
ｂ）前記閉鎖面上の少なくとも２つのピボット（１８）とを含み、ここで、前記アクチュエータは、前記閉鎖面であって、前記閉鎖面から垂下するスカート（１４）を含み、前記閉鎖面の前面に前記製品分配用開口部（５０）を含む前記閉鎖面と、
ｃ）前記閉鎖面の周辺壁から延びてロック位置とアンロック位置を有する延長パネル（２２）と、
ｄ）前記ピボットであって、前記製品開口部（５０）と前記延長パネル（２２）の中間にある前記ピボットと、
ｅ）前記延長パネル（２２）であって、前記延長パネルが前記ロック位置にあるときに前記閉鎖面に向かって内側に延びるラッチ部（２４）を有し（ここで、前記ロック位置では、前記延長パネルの底面が前記アクチュエータ（１０）を閉鎖位置から回転させることを防ぐ）、ヒンジ（１５）によって前記アクチュエータに取り付けられている前記延長パネルによって特徴づけられる、旋回可能なディスク閉鎖アクチュエータ（１０）。
【請求項２】
前記閉鎖面（１２）が概して円形であり、前記開口部が前記閉鎖面の前面にて１２０度の第１の円弧内にあり、前記延長パネル（２２）が前記閉鎖面の後端で１２０度の第２の円弧内にあり、前記ピボット（１８）がそれぞれ前記閉鎖面（１２）の両側で６０度の第３および第４の円弧内にあり、前記第３および第４の円弧が前記第１の円弧と前記第２の円弧の中間にある、請求項１に記載の旋回可能なディスク閉鎖アクチュエータ（１０）。
【請求項３】
前記パネル延長部を固定し、前記閉鎖面（１２）を前記閉鎖位置に維持するためのラッチ保持部（２８）をさらに含む、請求項１または２に記載の旋回可能なディスク閉鎖アクチュエータ（１０）。
【請求項４】
前記アクチュエータが、前記ラッチ部（２４）を受けるためのアパーチャ（２６）または窪みを含む、請求項１〜３のいずれか１項に記載の旋回可能なディスク閉鎖アクチュエータ（１０）。
【請求項５】
前記アクチュエータ（１０）がアパーチャを含む、請求項１〜４のいずれか１項に記載の旋回可能なディスク閉鎖アクチュエータ（１０）。
【請求項６】
前記延長パネル（２２）を前記閉鎖面（１２）に直接または間接的に接続するリビングヒンジ（１５）をさらに含む、請求項１〜５のいずれか１項に記載の旋回可能なディスク閉鎖アクチュエータ。
【請求項７】
前記延長パネル（２２）に隣接する前記閉鎖面（１２）における指受け用の窪み（２０）をさらに含む、請求項１〜６のいずれか１項に記載の旋回可能なディスク閉鎖アクチュエータ（１０）。
【請求項８】
閉鎖基部（３２）であって、
Ｉ）前記旋回可能な閉鎖を受けるのに適した開口部と、
ＩＩ）前記閉鎖面（１２）が前記閉鎖基部（３２）で受けられたときに前記ピボットが支えられる、少なくとも２つの表面と
を含む閉鎖基部（３２）と組み合わされた、請求項１〜７のいずれか１項に記載の旋回可能なディスク閉鎖アクチュエータ（１０）であって、
組み合わされた旋回可能な閉鎖と閉鎖基部が、前記延長パネル（２２）が前記ロック位置にあるときに前記ラッチ部（２４）を受けて固定するのに適した、前記旋回可能な閉鎖と閉鎖基部の一方または両方の上にラッチ保持部（２８）をさらに含む、旋回可能なディスク閉鎖アクチュエータ（１０）。
【請求項９】
前記閉鎖面（１２）が概して円形であり、前記開口部（５０）が前記閉鎖面の前面にて１２０度の第１の円弧内にあり、前記延長パネル（２２）が前記閉鎖面（１２）の後端で１２０度の第２の円弧内にあり、前記ピボット（１８）がそれぞれ前記閉鎖面（１２）の両側で６０度の第３および第４の円弧内にあり、前記第３および第４の円弧が前記第１の円弧と前記第２の円弧の中間にある、請求項８に記載の組み合わされた旋回可能なディスク閉鎖アクチュエータ（１０）と閉鎖基部（３２）。
【請求項１０】
前記パネル延長部（２２）を固定し、前記閉鎖面（１２）を前記閉鎖位置に維持するためのラッチ保持部（２８）をさらに含む、請求項８または９に記載の組み合わされた旋回可能なディスク閉鎖アクチュエータ（１０）と閉鎖基部（３２）。
【請求項１１】
前記アクチュエータが、前記ラッチを受けるためのアパーチャまたは窪みを含む、請求項８〜１０のいずれか１項に記載の組み合わされた旋回可能なディスク閉鎖アクチュエータ（１０）と閉鎖基部（３２）。
【請求項１２】
前記アクチュエータがアパーチャ（２６）を含む、請求項８〜１１のいずれか１項に記載の組み合わされた旋回可能なディスク閉鎖アクチュエータ（１０）と閉鎖基部（３２）。
【請求項１３】
前記延長パネル（２２）を前記閉鎖面に接続するリビングヒンジ（１５）をさらに含む、請求項８〜１２のいずれか１項に記載の組み合わされた旋回可能なディスク閉鎖アクチュエータ（１０）と閉鎖基部（３２）。
【請求項１４】
前記延長パネル（２２）に隣接する前記閉鎖面（１２）における指受け用の窪み（２０）をさらに含む、請求項８〜１３のいずれか１項に記載の組み合わされた旋回可能なディスク閉鎖アクチュエータ（１０）と閉鎖基部（３２）。
【請求項１５】
前記パネル（２２）が前記ロック位置にあるときに前記延長パネル（２２）の下方に隣接した前記閉鎖基部（３２）における指受け用の窪み（２０）又はアパーチャをさらに含む、請求項８〜１４のいずれか１項に記載の組み合わされた旋回可能なディスク閉鎖アクチュエータ（１０）と閉鎖基部（３２）。
【発明の詳細な説明】
【背景技術】
【０００１】
ボトルおよび他の容器の閉鎖の完全性は、消費財製造業者にとって常に関心事であった。出荷中の製品の漏れは、費用のかかる問題であり得る。また、消費者の手に製品が漏れることは、繰り返し購入するのに貢献しない。
【０００２】
漏れの懸念は、電子商取引の現在の世界で拡大している。電子商取引小売業者からの個々のボトルの出荷時、または製造業者からの電子商取引の出荷時でさえ、製品を漏れから保護することよりも、多数のボトルを一緒に完全に出荷することの方がいくらか容易である。同様に、消費者が容器を開けた後に容器を輸送することは、問題があり、製品の漏れをもたらす可能性がある。
【０００３】
シャンプー、ボディウォッシュ、スキンクリーム等の消費財用の一般的なタイプのクロージャーは、クロージャーの頂部のディスクが開放位置と閉鎖位置の間で回転するディスククロージャーである。このタイプのクロージャーでは、ディスクが出荷中に回転して開かないように注意する必要がある。
【０００４】
様々なタイプのディスクおよび他のタイプのクロージャーは、文献に記載されている。
【０００５】
ＰｕｄｅｒｂａｃｈらのＷＯ２０１７／０４６１８６は、基部と、２つのピボットで基部に旋回可能に取り付けられたアクチュエータディスクとを備える分注クロージャーを開示している。タンパーエビデントストリップ２４は、蓋の側壁に壊れやすく接続されている。ストリップは蓋の移動を防止するが、凹部２５を押し下げる作用により、ストリップが側壁から離れるように破壊される。ストリップは、ノッチに対して押し下げられるため、蓋から自動的に分離される。
【０００６】
ＯｄｅｒのＵＳ５７０９３１８は、クロージャー本体に取り付けられた一体型ロックスイッチを有するトグル分注蓋を開示している。一体型ロックスイッチは、少なくとも２つのリビングヒンジを含み、その結果、ロック位置とアンロック位置の間で移動することができ、それによって、閉鎖位置と製品分配位置との間で分注蓋の移動が可能になる。
【０００７】
ＬａｙのＷＯ９５／１６６３３には、トグル動作分配クロージャーが開示されている。カム９８は、クロージャーの壁と摩擦係合し、それが枢動されるときにアクチュエータを安定させる役割を果たす。カムの摩擦係合は、アクチュエータを傾斜した開放位置に維持する。ポスト１１０が設けられ、アクチュエータの開放位置への偶発的な移動を防止する。クロージャーを開くために消費者によって加えられる力など、所定の力以上の力は、アバットメントを切断するのに十分な力でポスト１１０に対して壁を駆動する。
【０００８】
ＥｎｇｌｅｒｔらのＷＯ２００４０７１８８２は、回動軸を中心に旋回可能なアクチュエータを有するディスク上部分配クロージャーを開示する。アクチュエータは、ロック位置とアンロック位置の周りで旋回可能である。タブ８０と凹部８２とが互いに協働し、それらが位置合わせされると、アクチュエータは開くように旋回可能であるが、それらが位置合わせされないと、アクチュエータは、開放位置と閉鎖位置の間で旋回できないようになっている。消費者は、タブと凹部が位置合わせされたアンロック位置とロック位置の間でアクチュエータを回転させる。ＫａｕｆｍａｎらのＷＯ２００４／０５４９２１も同様である。
【０００９】
ＲｏｓｅｎｔｈａｌらのＵＳ６１５２３２９は、開放位置と閉鎖位置の間で移動するために、本体に旋回可能に取り付けられた上部プレートを有する閉鎖キャップを開示している。ロックレバーは、支点を有し、これにより、ロックレバーの上端は、閉じられたときに、上部プレートの移動経路に位置することができ、これにより、上部プレートの開放位置への移動が妨げられるようになっている。
【００１０】
ＷｏｏｄらのＵＳ６０２９８６６は、旋回アクチュエータを有する分配構造を開示している。アクチュエータは、突出部９３と係合するための後方に延びる角度付きカム９２を含んでもよい。カムは周壁の突起に対してスライドし、旋回中にアクチュエータを安定させる役割を果たす。カムは、アクチュエータを傾斜した開放位置に維持するための摩擦係合を提供する。
【００１１】
ＧｒｏｓｓらのＵＳ５３１４０９３は、開放位置へのアクチュエータの旋回を防止するためにタブに係合するアクチュエータの下にアバットメント部材が存在する１つの位置と、ロックリングアバットメント部材がアクチュエータ係合から離れ、アクチュエータを開放位置に旋回することを可能にする第２の位置とを含むロックリングを有するトグル動作分配クロージャーを開示する。
【００１２】
ＳａｗｉｃｋｉのＵＳ５６２２２８４は、上壁の制限された開口を通して作用するプローブを使用することを除いて、１つがプレスに有効な開口力をかけてアクチュエータ部分を開くことを阻止する部分的上壁を有するチャイルドレジスタントキャップを開示している。
【００１３】
ディスペンサーの中でクロージャーおよびファスナーを有する容器を開示するのは、ＴａｃｋｅｒらのＵＳＤ７４９，３６３、ＷａｈｌのＵＳ２０１４／００３４６４４、およびＬａｎｅのＵＳＤ６９０，５５９である。
【００１４】
ＶｏｌｌｅｒｓのＷＯ０２２７９５は、ロック装置を備えたヒンジ式ディスクトップクロージャーを開示している。
【００１５】
Ｋａｕｆｍａｎらの米国特許第６，８９６，１６０号は、旋回可能なディスクトップ分配クロージャーを開示している。アクチュエータは、ロック位置とアンロック位置の間で回転可能である。
【００１６】
追加ディスペンサーには、Ｌｏｎｇらの米国デザイン特許第７４８，９４９号、ＬａｂｕｒｕのＥＰ２５５９６３２、ＷｉｌｌｅのＷＯ２０１２／１１０３３５、ＧｅｏｒｇｅのＵＳＤ６２４，３５７、ＧｉｌｂｅｒｔのＵＳＤ５８７，９６９が挙げられ、ＨａｂｅｒｍａｎｎのＥＰ１４６００００には、フィルムヒンジ（３４）によって旋回できるようにカバー（２０）に接続されたグリップラグ（２２）を有するヒンジクロージャーが開示されている。ＫｌｏｐｆｅｒのＷＯ０２／４２１７４、ＭｕｅｌｌｅｒらのＷＯ９４／２２７３３、ＳｐａａｎｓｔｒａのＵＳ５２３６１０７、ＭｏｏｒｅらのＷＯ８９／０３３６３、およびＧｒｏｓｓのＵＳ５２８４２６４がある。
【先行技術文献】
【特許文献】
【００１７】
【特許文献１】ＷＯ２０１７／０４６１８６
【特許文献２】ＵＳ５７０９３１８
【特許文献３】ＷＯ９５／１６６３３
【特許文献４】ＷＯ２００４０７１８８２
【特許文献５】ＷＯ２００４／０５４９２１
【特許文献６】ＵＳ６１５２３２９
【特許文献７】ＵＳ６０２９８６６
【特許文献８】ＵＳ５３１４０９３
【特許文献９】ＵＳ５６２２２８４
【特許文献１０】ＵＳＤ７４９，３６３
【特許文献１１】ＵＳ２０１４／００３４６４４
【特許文献１２】ＵＳＤ６９０，５５９
【特許文献１３】ＷＯ０２２７９５
【特許文献１４】米国特許第６，８９６，１６０号
【特許文献１５】米国デザイン特許第７４８，９４９号
【特許文献１６】ＥＰ２５５９６３２
【特許文献１７】ＷＯ２０１２／１１０３３５
【特許文献１８】ＵＳＤ６２４，３５７
【特許文献１９】ＵＳＤ５８７，９６９
【特許文献２０】ＥＰ１４６００００
【特許文献２１】ＷＯ０２／４２１７４
【特許文献２２】ＷＯ９４／２２７３３
【特許文献２３】ＵＳ５２３６１０７
【特許文献２４】ＷＯ８９／０３３６３
【特許文献２５】ＵＳ５２８４２６４
【発明の概要】
【００１８】
本発明は、旋回可能なディスク閉鎖アクチュエータ、該アクチュエータを含むクロージャー、およびクロージャーをボトルまたは他の容器と組み合わせたものに関する。アクチュエータは、製品分配開口部をその前面に含む閉鎖面と、該閉鎖面上の少なくとも２つのピボットと、該閉鎖面の周壁から延在し、ロック位置およびアンロック位置を有する延長パネルとを含み、ピボットは製品開口部と延長パネルの中間にあり、延長パネルは、該延長パネルが閉鎖位置にあるときに閉鎖面に向かって内方に延在するラッチ部とを有する。
【００１９】
アダプタの閉鎖面は、概して円形であり、開口部は閉鎖面の前面において１２０度の第１の円弧内にあり、延長パネルは閉鎖面の後端において１２０度の第２の円弧内にあり、ピボットはそれぞれが閉鎖面の両側においてそれぞれ６０度の第３および第４の円弧内にあり、第３および第４の円弧は、第１の円弧と第２の円弧の中間にある。
【００２０】
本発明の一態様によれば、旋回可能なディスク閉鎖アクチュエータは、パネル延長部を固定し、閉鎖面を閉鎖位置に保持するためのラッチ保持部をさらに含む。アクチュエータは、ラッチを保持するのを補助するためにラッチを受けるためのアパーチャ又はくぼみを含んでもよい。延長パネルは、好ましくはリビングヒンジを使用してアクチュエータに取り付けられる。
【００２１】
アクチュエータは、一般に、旋回可能なアダプタを受けるのに適した開口部と、閉鎖面が閉鎖基部内に受けられたときにピボットが支えられる少なくとも２つの表面とを含む閉鎖基部と組み合わされ、その組み合わされた旋回可能な閉鎖と閉鎖基部は、延長パネルが閉鎖位置にあるときにラッチ部を受けて固定するのに適した旋回可能な閉鎖と閉鎖基部の一方または両方の上にラッチ保持部をさらに備える。
【００２２】
本発明の閉鎖基部は、外壁に切り抜き部または開口部を含んでもよく、延長パネルは、アクチュエータがロック位置にあるときに外壁切り抜き部または開口部の表面に支えられてもよい。
【００２３】
本発明の上記および他の特徴および利点をより完全に理解するために、好ましい実施形態の以下の詳細な説明および添付の図面を参照すべきである。
【図面の簡単な説明】
【００２４】
【図１】本発明のクロージャーのアンロック位置におけるアクチュエータの斜視図である。
【図２】図１のアクチュエータのロック位置の斜視図である。
【図３】図２のロック機構の孤立した図である。
【図４】本発明のアクチュエータをクロージャー本体の上方に示した正面および側面から見た斜視図である。
【図５】図４のアクチュエータ及びクロージャー本体を後側及び片側から見た斜視図である。
【図６】アクチュエータが閉じられているがロックされていない位置の、クロージャー本体上の所定の位置にあるアクチュエータの斜視図である。
【図７】クロージャー上の所定の位置にあり、ロックされていないアクチュエータが開放した位置にあるアクチュエータの斜視図である。
【図８】ロックされ、アクチュエータが閉じられた位置におけるクロージャー本体上の所定の位置にあるアクチュエータの斜視図である。
【発明を実施するための形態】
【００２５】
閉鎖アクチュエータ１０は、概して円形の指くぼみ２０を有するディスク閉鎖面１２を備える。アクチュエータ１０は、その前面に製品分配開口部５０を含む閉鎖面を含む。上部スカート１４は、表面１２から垂下し、テーパー付き下部スカート１６は、上部スカート１４から下垂する。丸いピボット部材１８は、上下のスカート１４、１６から外側に延びており；第２の丸いピボット（図示せず）は、アクチュエータの反対側から外側に延びている。
【００２６】
延長パネル２２は、リビングヒンジ１５によって指くぼみ２０に隣接する上部スカート１４に接続されている。図１に示されるアンロック位置では、パネル２２は、スカート１４、１６に対して垂直に外向きに延びている。パネル２２に対して垂直に延びるのは、Ｌ字型のラッチ２４であり、図３のロック位置に最もよく見られる。ロック位置では、ラッチ２４がアクチュエータ１０に向かって内側に延び、上方に延びる一体の保持タブ２８で終わる。
【００２７】
スカート１６は、ヒンジ１５の下にラッチ受け／保持アパーチャ１６を含み、アパーチャは、概して半円形状に図示されている。
【００２８】
下部クロージャー本体３２は、概して円筒状の外壁３１を含む概して円筒状として示され、その内壁３３上にピボット受け半円形窪み３０を含む。第２のピボット受け凹部（図示せず）は、反対側の内壁に配置される。内壁３３は、テーパー状の下部スカート１６をぴったりと受ける。１つまたは複数のタブ６０は、内壁３３を有するアダプタのための摩擦嵌合を容易にし、アクチュエータ１０を開放位置に保持するのを補助する。下部本体３２は、製品をボトル（図示せず）からクロージャーの外側に運ぶための円形の製品通路３４を含む。アクチュエータ１０上のピボット部材１８は、くぼみ３０で旋回し、アクチュエータが、製品をパッケージから分配できない閉鎖位置（図６に示される）と製品をパッケージから分配できる開放位置（図７に示される）の間で旋回することを可能にする。
【００２９】
下側クロージャー本体３２の外壁３１は、以下に説明するように、延長パネル２２を収容するために、凹部２０に隣接する開口部であってもよい、概して半円形の切り抜き部４０を含む。
【００３０】
上述したように、クロージャーの不注意な開放及び付随する製品漏れは、電子商取引を通じて注文された製品を出荷するための特別な問題を提起する。本発明のクロージャーは、延長パネル２２、リビングヒンジ１５及びラッチ２４を含むことにより、この問題を解決する。アクチュエータの開放を許容することが望ましい場合、延長パネル２２は、図１および図４−６に示される開放位置にある。この位置において、消費者の指からの力は、アクチュエータを開かせるために、凹部２０に加えられ得る。
【００３１】
容器を発送するか、さもなければ輸送することが望まれるとき、延長パネル２２は、下方に押され、リビングヒンジ１５上で回転し、その結果、ラッチ２４は、アパーチャ２６内に入り、保持タブ２８は上部および／または下部スカートの内部に配置され、延長パネルをロック位置に保つ。図８から分かるように、ロック位置では、延長パネル２２の底面１９が切り抜き部４０の底部に接触し、それにより、窪み２０に加えられた力がアクチュエータ１０を閉鎖位置から回転させるのを防止する。
【００３２】
製品を容器から分配することが望まれるとき、延長パネル２２が上方に持ち上げられ、それによってアパーチャ２６からラッチ２４を取り除き、その結果、アクチュエータ１０は、図６に示される位置にある。延長パネル２２の表面１９が切り抜き部４０の底面と接触しなくなると、アクチュエータは、図７に示されるように、閉鎖位置から解放位置へ自由に回転する。
【００３３】
アダプタ及びリビングヒンジは、典型的にはポリプロピレン又はポリエチレンで作られる。消費後のポリプロピレンも含まれ得る。アダプタおよび／またはリビングヒンジはまた、Ｄｏｍｏｙらの米国特許第９，６３７，６２６号に記載されるヒンジ材料、すなわちヒンジを有する成形品から作製されてもよく、成形品はポリマーであり、ポリマーは第１の高密度ポリエチレン（ＨＤＰＥ）樹脂と、第１のＨＤＰＥとは異なる第２のＨＤＰＥ樹脂との混合物を含み、混合される場合、第１の高密度ポリエチレン（ＨＤＰＥ）樹脂は：
ａ．約０．５ｄｇ／分〜１０ｄｇ／分のメルトインデックス（Ｉ２，１６）、
ｂ．約０．９４０ｇ／ｃｍ３〜０．９６８ｇ／ｃｍ３の密度、および
ｃ．約２５を超えるメルトフロー比（Ｉ２１．６：Ｉ２．１６）
を有し、そして、
第２のＨＤＰＥレジンは、約３０未満のメルトフロー比（Ｉ２１．６：Ｉ２．１６）を有する。Ｄｏｍｏｙらの米国特許第９，６３７，６２６号の開示は、参照により本明細書に組み込まれる。このクロージャーは、一般に、射出成形を用いて製造される。
【００３４】
代替のクレームは、アクチュエータが外壁に開口部を含み、アクチュエータがロック位置にあるときに延長パネルが開口部の表面に支えられている、請求項９に記載の組み合わされたアクチュエータと閉鎖基部であってもよい。
【００３５】
もちろん、ここで示され説明された本発明の特定の形態は、本開示の明確な教示から逸脱することなく、その中で特定の変更を行うことができるので、代表的なものにすぎないことを意図していることを理解されたい。従って、本発明の全範囲を決定する際には、以下の添付の特許請求の範囲を参照すべきである。
【図１】
2021507852.tif 000003
【図２】
2021507852.tif 000004
【図３】
2021507852.tif 000005
【図４】
2021507852.tif 000006
【図５】
2021507852.tif 000007
【図６】
2021507852.tif 000008
【図７】
2021507852.tif 000009
【図８】
2021507852.tif 000010
【国際調査報告】
2021507852.tif 000011
2021507852.tif 000012